(57)【要約】      （修正有）【課題】表裏両面を用途に合わせて縦横自在な向きで使用できるインデックス付き情報媒体を提供する。【解決手段】帯状の紙片を交互に山折、谷折して折り返すことにより形成される情報媒体１であって、前記紙片の一方の面からなる第１の表示部１０と、他方の面からなる第２の表示部とを備え、前記第１の表示部１０及び第２の表示部が、それぞれ、見出しを表示するインデックス表示部１１と、そのインデックス表示部１１に連設されるコンテンツ表示部１２とを有し、前記第１の表示部１０のインデックス表示部１１と、前記第２の表示部のインデックス表示部のうち、何れか一方を縦書、他方を横書で記載する。【選択図】図１
0003160579.tif 000002
【実用新案登録請求の範囲】
【請求項１】
帯状の紙片を交互に山折、谷折して折り返すことにより形成される情報媒体であって、
前記紙片の一方の面からなる第１の表示部と、他方の面からなる第２の表示部と、を備え、
前記第１の表示部及び第２の表示部が、それぞれ、見出しを表示するインデックス表示部と、該インデックス表示部に連設されるコンテンツ表示部と、を有し、
前記第１の表示部のインデックス表示部と、前記第２の表示部のインデックス表示部のうち、何れか一方を縦書、他方を横書で記載することを特徴とするインデックス付き情報媒体。
【考案の詳細な説明】
【技術分野】
【０００１】
本考案は、インデックスを備えた携帯可能な情報媒体に係り、特に、表裏両面を利用可能で、かつ用途に合わせて縦横自在な向きで使用できるインデックス付き情報媒体に関する。
【背景技術】
【０００２】
通常、携帯に便利でかつ安価なインデックス付き情報媒体としては、印刷が施された複数枚の紙片を重ねて冊子状にしたものや、印刷が施された紙片を折り曲げて重ねたもの等が用いられている。
【０００３】
このようなインデックス付き情報媒体では一般的に、インデックスは一方向からの閲覧だけを考慮して、全体が縦又は横方向に統一して印字されている。
【考案の概要】
【考案が解決しようとする課題】
【０００４】
上述のように、用途に合わせて縦横自在な向きで使用できるインデックス付き情報媒体はこれまでになかった。
【０００５】
本考案は、上記従来の状況に鑑みて、表裏両面を用途に合わせて縦横自在な向きで使用できるインデックス付き情報媒体を提供することを目的とする。
【課題を解決するための手段】
【０００６】
本考案は、上記課題を解決するために、帯状の紙片を交互に山折、谷折して折り返すことにより形成される情報媒体であって、前記紙片の一方の面からなる第１の表示部と、他方の面からなる第２の表示部と、を備え、前記第１の表示部及び第２の表示部が、それぞれ、見出しを表示するインデックス表示部と、そのインデックス表示部に連設されるコンテンツ表示部と、を有し、前記第１の表示部のインデックス表示部と、前記第２の表示部のインデックス表示部のうち、何れか一方を縦書、他方を横書で記載することを特徴とするインデックス付き情報媒体を提供する。
【考案の効果】
【０００７】
本考案のインデックス付き情報媒体によれば、表裏両面を用途に合わせて縦横自在な向きで使用できるインデックス付き情報媒体を提供することが可能となる。
【図面の簡単な説明】
【０００８】
【図１】本考案のインデックス付き情報媒体の概要を示す全体概略図である。
【図２】図１のインデックス付き情報媒体の折畳みを開いた状態を示す模式図である。
【図３】図１のインデックス付き情報媒体の折畳んだ状態を示すための模式図である。
【図４】図１のインデックス付き情報媒体を第１の表示部側から見た模式図である。
【図５】図１のインデックス付き情報媒体を第２の表示部側から見た模式図である。
【考案を実施するための形態】
【０００９】
以下、本考案の実施の形態について、図面を参照しながら詳細に説明する。
図１は、本考案のインデックス付き情報媒体の概要を示す全体概略図である。また図２は、その折畳みを開いた状態を示す模式図、図３は、その折畳んだ状態を示すための模式図である。
【００１０】
これらの図に示すように、本考案のインデックス付き情報媒体１（以下、単に情報媒体１という）は、山折と谷折を交互に繰り返して重ね合わされた長尺な帯状の紙片２から構成される。ここで、情報媒体１（紙片２）の一方の面を第１の表示部１０、他方の面を第２の表示部２０とする（図３参照）。
【００１１】
紙片２の折目と折目の間隔は、図２に示すように、間隔Ａと間隔Ｂ（Ａ＞Ｂ）を交互に空けるようにする。これにより、重ね合わせた状態で見出しとなる、間隔（Ａ−Ｂ）を有するインデックス表示部１１、２１が、第１の表示部１０、第２の表示部２０の双方に形成される。
【００１２】
また、紙片２が折畳まれた状態で最も上に位置する部分が表紙部１３、２３となる。さらに、折畳まれた状態では露出せず、折目を開いた際に露出する部分がコンテンツ表示部１２、２２となる。ここにインデックス表示部１１、２１が示す情報の内容が表示される。
【００１３】
図４は、情報媒体１を第１の表示部１０側から見た模式図であり、図４（ａ）は表紙部１３を閉じた状態、図４（ｂ）は表紙部１３を開いた状態を示している。さらに図５は、情報媒体１を第２の表示部２０側から見た模式図であり、図５（ａ）は表紙部２３を閉じた状態、図５（ｂ）は表紙部２３を開いた状態を示している。
【００１４】
これらの図に示すように、第１の表示部１０及び第２の表示部２０は、それぞれ複数のインデックス表示部１１、２１（ここでは例として、１１Ａ〜１１Ｆ、２１Ａ〜２１Ｆ）を備えている。情報媒体１の利用者は、任意のインデックス表示部１１、２１（ここでは１１Ａ、２１Ａ）を開くことにより、任意のコンテンツ表示部１２、２２（ここでは１２Ａ、２２Ａ）にアクセスすることが可能となる。
【００１５】
ここで、インデックス表示部１１、２１は、一方が縦書、他方が横書で表示される。図４及び図５では、第１の表示部１０のインデックス表示部１１が縦書、第２の表示部２０のインデックス表示部２１が横書で表示されている。
【００１６】
コンテンツ表示部１２、２２には、連設されたインデックス表示部１１、２１が表示する見出しに関する情報が表示される。また、表紙部１３、２３には、第１の表示部１０又は２０に記載された内容を総括した情報が記載されるのが好適である。コンテンツ表示部１２、２２、及び表紙部１３、２３は、インデックス表示部１１、２１と同じ方向（縦書／横書）で表示されるのが好ましいが、用途に合わせて適宜変更しても良い。
【００１７】
このように構成することで、例えば、一方の表示部を英語（横書）、他方の表示部を日本語（縦書）で表示して、同内容を他言語で記載することも可能となる。
【００１８】
上記のように本考案のインデックス付き情報媒体によれば、表裏両面を用途に合わせて縦横自在な向きで使用できるインデックス付き情報媒体を提供することが可能となる。
【００１９】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００２０】
本考案は、インデックスを備えた携帯可能な情報媒体に係り、特に、視覚障害者とその介護者等の利用を目的とするインデックス付き情報媒体に関し、産業上の利用可能性を有する。
【符号の説明】
【００２１】
１      インデックス付き情報媒体
２      帯状の紙片
１０    第１の表示部
１１    インデックス表示部
１２    コンテンツ表示部
１３    表紙部
２０    第２の表示部
２１    インデックス表示部
２２    コンテンツ表示部
２３    表紙部
【図１】
0003160579.tif 000003
【図２】
0003160579.tif 000004
【図３】
0003160579.tif 000005
【図４】
0003160579.tif 000006
【図５】
0003160579.tif 000007
【手続補正書】
【提出日】平成22年4月19日(2010.4.19)
【手続補正１】
【補正対象書類名】実用新案登録請求の範囲
【補正対象項目名】請求項１
【補正方法】変更
【補正の内容】
【請求項１】
帯状の紙片を、所定の第１の長さと第２の長さを交互に取って山折、谷折して折り返すことにより形成される情報媒体であって、
前記紙片の一方の面からなる第１の表示部と、他方の面からなる第２の表示部と、を備え、
前記第１の表示部及び第２の表示部が、それぞれ、折り重ねた際に露出して見出しを表示するインデックス表示部と、該インデックス表示部に連設され折り重ねた際には隠れる部位からなるコンテンツ表示部と、を有し、
前記第１の表示部のインデックス表示部と、前記第２の表示部のインデックス表示部のうち、何れか一方を縦書、他方を横書で記載することを特徴とするインデックス付き情報媒体。
【手続補正２】
【補正対象書類名】明細書
【補正対象項目名】０００６
【補正方法】変更
【補正の内容】
【０００６】
本考案は、上記課題を解決するために、帯状の紙片を、所定の第１の長さと第２の長さを交互に取って山折、谷折して折り返すことにより形成される情報媒体であって、前記紙片の一方の面からなる第１の表示部と、他方の面からなる第２の表示部と、を備え、前記第１の表示部及び第２の表示部が、それぞれ、折り重ねた際に露出して見出しを表示するインデックス表示部と、そのインデックス表示部に連設され折り重ねた際には隠れるコンテンツ表示部と、を有し、前記第１の表示部のインデックス表示部と、前記第２の表示部のインデックス表示部のうち、何れか一方を縦書、他方を横書で記載することを特徴とするインデックス付き情報媒体を提供する。